(57)【要約】【課題】ボタンの構造を簡易なものとするとともに、組み立てが容易で組み立て効率の高いスイッチ装置、及びこのスイッチ装置を備えた記録装置を提供することにある。【解決手段】ボタン取付部１８０には、基端部１８４ａと自由端部１８４ｂとを有し、ボタン１１３を押下可能に支持する片持ち梁部１８４が設けられている。これにより、ボタン１１３を押下可能に支持する構造をボタン自体に設ける必要がなく、ボタン１１３を簡易なものとすることができる。また、ボタン１１３を別個に成形して取り付けることができるため組み立ての効率を高めることができる。【選択図】図８
2007265779.tif 000002
【特許請求の範囲】
【請求項１】
スイッチを押下するためのボタン及び該ボタンを配設するボタン取付部を備えたスイッチ装置であって、
前記ボタン取付部には、基端部と自由端部とを有し、前記スイッチを押下可能に前記ボタンを支持する支持部が設けられていることを特徴とするスイッチ装置。
【請求項２】
前記ボタンは、前記支持部に当接する当接部と、ボタン押下時に前記スイッチを押し下げるスイッチ押下部と、を有することを特徴とする請求項１に記載のスイッチ装置。
【請求項３】
前記ボタン取付部には、複数の前記支持部が設けられ、複数の前記支持部のうちの少なくとも２つの支持部の前記自由端部が対向するように設けられていることを特徴とする請求項１又は２に記載のスイッチ装置。
【請求項４】
複数の前記支持部は均等な長さで形成されていることを特徴とする請求項３に記載のスイッチ装置。
【請求項５】
前記ボタンは前記ボタン取付部に係止する突起部を有することを特徴とする請求項１〜４の何れか一項に記載のスイッチ装置。
【請求項６】
前記支持部は前記自由端部を前記基端部より前記ボタンの押下方向における上方となるように設けられていることを特徴とする請求項１〜５の何れか一項に記載のスイッチ装置。
【請求項７】
被記録媒体に記録する記録装置であって、
請求項１〜６の何れか一項に記載のスイッチ装置を備えたことを特徴とする記録装置。
【請求項８】
前記ボタン取付部は前記記録装置の筐体と一体成形されていることを特徴とする請求項７に記載の記録装置。
【発明の詳細な説明】
【技術分野】
【０００１】
本発明は、スイッチを押下するためのボタン及びボタン取付部を備えたスイッチ装置、及びこのスイッチ装置を備えた記録装置に関する。
【背景技術】
【０００２】
一般に、記録装置の１つであるインクジェット式プリンタにおいては、例えば電源のオン・オフや機器操作のためのボタンが配設されている。これらのボタンは、ボタンを可動させるためにパネル本体と弾性片で連結され一体成形されており、ボタンのキートップ部が押圧されると弾性片が撓んでボタンが押し下げられ、ボタン下方に向かって垂設された突片がプリント基板上のスイッチを押し下げている（特許文献１参照）。
【０００３】
【特許文献１】特開平９−１７２２６３号公報
【発明の開示】
【発明が解決しようとする課題】
【０００４】
上述したような記録装置においては、ボタンの構造を簡易なものとし、部品点数を削減することが求められている。また、ボタンを別個に成形し、記録装置の組み立ての際にボタンを容易に取り付け可能であり、組み立て効率を高めることも求められている。
【０００５】
本発明は、上記のような種々の課題に鑑みなされたものであり、その目的は、ボタンの構造を簡易なものとするとともに、組み立てが容易で組み立て効率の高いスイッチ装置、及びこのスイッチ装置を備えた記録装置を提供することにある。
【課題を解決するための手段】
【０００６】
上記目的達成のため、本発明のスイッチ装置では、スイッチを押下するためのボタン及び該ボタンを配設するボタン取付部を備えたスイッチ装置であって、前記ボタン取付部には、基端部と自由端部とを有し、前記スイッチを押下可能に前記ボタンを支持する支持部が設けられていることを特徴としている。これにより、ボタンを押下可能に支持する構造をボタン自体に設ける必要がなく、ボタンを簡易なものとすることができる。また、ボタンを別個に成形して取り付けることができるため組み立ての効率を高めることができる。
【０００７】
また、前記ボタンは、前記支持部に当接する当接部と、ボタン押下時に前記スイッチを押し下げるスイッチ押下部と、を有することを特徴としている。これにより、当接部が支持部に当接し、ボタン押下時にスイッチ押下部がスイッチを確実に押し下げることができる。
【０００８】
また、前記ボタン取付部には、複数の前記支持部が設けられ、複数の前記支持部のうちの少なくとも２つの支持部の前記自由端部が対向するように設けられていることを特徴としている。これにより、ボタン押下時にボタンが対向する支持部の両側で支持されるため、ボタンの一方向への傾きが少なくなる。このため、ボタンの操作感を高めることができる。
【０００９】
また、複数の前記支持部は均等な長さで形成されていることを特徴としている。これにより、ボタン押下時に対向する支持部に均等に荷重を伝えることができる。このため、ボタンが水平に押し下げられ、更にボタンの操作感を高めることができる。
【００１０】
また、前記ボタンは前記ボタン取付部に係止する突起部を有することを特徴としている。これにより、ボタンがボタン取付部より外れてしまうのを防止することができる。
【００１１】
また、前記支持部は前記自由端部を前記基端部より前記ボタンの押下方向における上方となるように設けられていることを特徴としている。これにより、ボタン押下後のボタンを元の位置に復帰させる復元力が大きくなり、ボタンを確実に元の位置に復帰させることができる。
【００１２】
上記目的達成のため、本発明の記録装置では、被記録媒体に記録する記録装置であって、
上記スイッチ装置を備えたことを特徴としている。これにより、上記各作用効果を奏する記録装置を提供することができる。
【００１３】
また、前記ボタン取付部は前記記録装置の筐体と一体成形されていることを特徴としている。これにより、記録装置の筐体と別個に成形したボタン取付部を設ける必要がなく、製造工程を減らすことができるために記録装置の製造効率を高めることができる。    
【発明を実施するための最良の形態】
【００１４】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１５】
図１は、本発明の一実施形態に係る記録装置の１つであるインクジェット式プリンタの外部構成全体の斜視図、図２は、このインクジェット式プリンタのペーパーサポート及び排紙スタッカ取付時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１６】
インクジェット式プリンタ１００は、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１７】
そして、上部ハウジング１０１の上面における図示左後方側には操作部１１０が配設され、上面における背面側には給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００１８】
また、上部ハウジング１０１の上部後方から前面部にかけて開口部１０３が形成されている。この開口部１０３は、開閉自在なプリンタカバー１０４によって覆われている。ユーザは、プリンタカバー１０４を持ち上げて開口部１０３を開放することにより、インクカートリッジの交換作業や用紙搬送部１４０や記録部１５０等の内部機構のメンテナンス作業等を簡易に行うことができる。
【００１９】
操作部１１０は、図１に示すように、パワーをオン・オフするパワー系、用紙の頭出し等を操作したりインクのフラッシング等を操作したりする操作系、画像処理等を行う処理系等の各ボタン１１３が各々のボタン取付部１８０（図５参照）に取り付けられ配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００２０】
給紙部１２０は、図１及び図２に示すように、上方に向かって矩形状に開口した給紙口１２１と、給紙する用紙を１枚もしくは複数枚サポートするペーパーサポート１２２を備えている。このペーパーサポート１２２は、プリンタ本体の図示しない後壁部に形成された差込口に差し込んで取り付けることができる。従って、ユーザは、インクジェット式プリンタ１００の使用又は不使用に応じて、ペーパーサポート１２２を自由に着脱することができる。したがって、不使用時においては、ペーパーサポート１２２を離脱させておくことにより、インクジェット式プリンタ１００をコンパクトにすることができる。
【００２１】
このペーパーサポート１２２の下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２２】
排紙部１３０は、図２に示すように、前方に向かって矩形状に開口した排紙口１３１と、排紙される用紙を１枚もしくは複数枚スタックする機能を併せ持ったスタッカ１３２を備えている。このスタッカ１３２は、排紙口１３１の下方のプリンタ本体に形成されたスタッカ差込口１３３に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２３】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ４１、このホッパ４１により持ち上げられた用紙を取り出す給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００２４】
ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００２５】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００２６】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００２７】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００２８】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００２９】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。次に、本発明の特徴的な部分であるボタン１１３及びボタン取付部１８０の詳細について図を参照して説明する。尚、以下は複数のボタン１１３及びボタン取付部１８０のうちの一つについて説明するが、他のボタン１１３及びボタン取付部１８０も同様の構成である。
【００３０】
図５（a）は、ボタン取付部１８０をインクジェット式プリンタ１００の上方から見た平面図であり、図５（ｂ）は、ボタン取付部１８０をインクジェット式プリンタ１００の前方から見た断面図である。図６は、ボタン１１３の斜視図であり、図７は、ボタン１１３及びボタン取付部１８０の内部構造の概略を示す断面側面図である。図８（a）は、ボタン１１３が押し下げられていない通常状態（非押し下げ状態）を示す断面図であり、図８（ｂ）は、ボタン１１３が押し下げ操作された状態を示す断面図である。
【００３１】
先ず、ボタン１１３を取り付けるボタン取付部１８０について図５（a）及び図５(ｂ)を参照して説明する。ボタン取付部１８０は、ボタン１１３を取り付けた時にボタン１１３の側面部分が当接する壁面部１８１及びボタン１１３を支持する底面部１８２からなり、これらは上部ハウジング１０１と一体成形されている。
【００３２】
壁面部１８１の高さは、ボタン１１３を取り付けた時にボタン押圧面１６１（図６参照）が上部ハウジング１０１の上面より僅かに突出するように形成されている。底面部１８２には、底面１８３及び片持ち梁部１８４が形成されている。底面１８３は、図５（a）及び図５(ｂ)に示すように図示左右壁面部１８１近傍に形成されており、図５（a）に示すように四隅近傍では、略矩形状に形成されている。また、底面１８３は、図５（a）に示すように図示手前右側部分が、導光管１６４（図６参照）を通すスペースを確保するために他の隅近傍より狭小となっている。
【００３３】
片持ち梁部１８４は、図５（a）に示すように図示左右壁面部１８１下端の中央部分を基端部１８４ｂとして底面部１８２中心に向かって形成されている。この片持ち梁部１８４は、ボタン１１３を押し下げ可能に支持する支持部として機能する。これにより、ボタン１１３を押し下げ可能に支持する構造をボタン１１３に設ける必要がなく、ボタン１１３を簡易なものとすることができる。また、ボタン１１３を別個に成形してインクジェット式プリンタ１００の上面側から取り付けることができるため組み立ての効率を高めることができる。
【００３４】
そして、片持ち梁部１８４は、底面１８３より肉厚で、ボタン押し下げ時の荷重に対して確実にボタン１１３を支持できるように形成されている。また、図示左右の片持ち梁部１８４は均等な長さで形成されており、それぞれの片持ち梁部１８４の自由端部１８４ａが対向するように配設されている。これにより、ボタン１１３の押し下げ時にボタン１１３が対向する片持ち梁部１８４の両側で支持されるため、ボタン１１３の一方向への傾きが少なくなる。また、片持ち梁部１８４は均等な長さで形成されているので均等に荷重を伝えることができる。このため、ボタン１１３の操作感を高めることができる。
【００３５】
更に、図５(ｂ)に示すように片持ち梁部１８４は自由端部１８４ａが基端部１８４ｂより押し下げ方向における上方、すなわち図示上方に位置するように配設されている。これにより、ボタン１１３押し下げ後のボタン１１３を元の位置に復帰させる復元力が大きくなり、ボタン１１３を確実に元の位置に復帰させることができる。
【００３６】
次に、ボタン１１３について図６及び図７を参照して説明する。ボタン１１３は、ボタン押圧面１６１及びボタン外周側面部１６２からなる図６の実線で示すボタン外周部材１６０と、ボタン押圧面１６１裏面に形成される梁当接部１７１及びスイッチ押下部１７２からなる図６の破線で示すボタン内部部材１７０より構成される。
【００３７】
ボタン押圧面１６１は、ボタン１１３を取り付けた時に上部ハウジング１０１の上面と略平行となるような面が形成されている。ボタン押圧面１６１の中央部分には、ユーザのボタン操作感を高めるため、円形の窪みが形成されている。ボタン押圧面１６１の、図６における図示手前右側の隅の近傍には矩形状の表示部１６３が配設されており、ＬＥＤの発光が導光管１６４を通じて導かれ、ユーザがボタン１１３のオン・オフを視認可能なものとしている。この表示部１６３の位置は、ボタン１１３の取り付け時に正しい向きで取り付ける目安とすることができ、ボタン１１３の誤挿入を防止することができる。
【００３８】
ボタン外周側面部１６２は、ボタン１１３を取り付けた時にボタン取付部１８０の壁面部１８１に当接する面であり、ボタン押圧面１６１が上部ハウジング１０１の上面より僅かに突出する高さとなるように形成されている。ボタン外周側面部１６２のうち、図６における図示幅方向に沿った外周側面は、ボタン押圧面１６１から下方に伸びる２つの端部側面１６２ａと端部側面１６２ａより下方に突出した中央部側面１６２ｂとから構成され、Ｅ字状となっている。中央部側面１６２ｂの下端部には、ボタン取付部１８０の壁面部１８１に形成された係止部１８１ａ（図７参照）に係止する断面三角形状の突起部１６５が形成されている。
【００３９】
ここで、図７に示すようにボタン１１３をボタン取付部１８０に取り付ける時には、突起部１６５の頂部１６５ａがボタン取付部１８０の壁面部１８１に沿って摺動する。このとき、中央部側面１６２ｂはボタン内部方向に撓んだ状態でボタン取付部１８０に挿入されていき、突起部１６５が係止部１８１ａに係止し、ボタン１１３はボタン取付部１８０に取り付けられる。この際、図６において示した中央部側面１６２ｂと左右の端部側面１６２ａとの間に形成された切り欠き１６６は、中央部側面１６２ｂをボタン内部方向に撓み易くし、ボタン１１３の取り付けを容易なものとしている。また、突起部１６５が係止部１８１ａに係止することで図７における図示上方向へボタン１１３が外れるのを防止することができる。
【００４０】
梁当接部１７１は、図６に示すようにボタン押圧面１６１の裏面中央部分に、図示幅方向に沿った外周側面よりも小さいＥ字状で、幅方向に沿った外周側面と平行に形成されている。梁当接部１７１の中央部１７１ａは、ボタン１１３をボタン取付部１８０に取り付けた時に図５に示す左右の片持ち梁部１８４の自由端部１８４ａに均等に当接するように形成されている。また梁当接部１７１の両端部１７１ｂは、左右の片持ち梁部１８４の基端部１８４ｂと当接することなく、その上方に位置するように形成されている。
【００４１】
スイッチ押下部１７２は、ボタン押圧面１６１の裏面中央部分に、梁当接部１７１に対して直交するように形成されている。スイッチ押下部１７２は、ボタン１１３をボタン取付部１８０に取り付けた時に図５に示す左右の片持ち梁部１８４の自由端部１８４ａの間隙を抜け、ボタン取付部１８０の下方へ突出するように形成されている。
【００４２】
次に、ボタン１１３の押し下げ状態及び非押し下げ状態について説明する。図８（a）に示すように、ボタン１１３の非押し下げ状態では、梁当接部１７１の中央部１７１ａは、片持ち梁部１８４の自由端部１８４ａに当接し支持されている。これに対して、梁当接部１７１の両端部１７１ｂは、片持ち梁部１８４の基端部１８４ｂに当接していない。また、端部側面１６２ａも底面１８３に当接しておらず、底面１８３との間に間隙が形成されている。そして、スイッチ押下部１７２の先端は、図示しないメイン基板上のスイッチＳＷと当接することなく、僅かな間隙を有して位置するように形成されている。
【００４３】
図８（ｂ）に示すように、ユーザによりボタン１１３が押し下げ操作されると、梁当接部１７１の中央部１７１ａが、片持ち梁部１８４の自由端部１８４ａを押し下げる。そして、スイッチ押下部１７２の先端がスイッチＳＷを押し下げることでスイッチＳＷのオン・オフが行われる。このように、ボタン１１３の押し下げ時においては梁当接部１７１が片持ち梁部１８４の自由端部１８４ａを押し下げて、スイッチ押下部１７２がスイッチＳＷを確実に押し下げることができる。
【００４４】
ここで、ユーザによりボタン１１３が強く押し下げられた場合であっても、梁当接部１７１の両端部１７１ｂが片持ち梁部１８４の基端部１８４ｂに当接し、ボタン外周側面部１６２ａが底面１８３に当接した後は、それ以上のボタン１１３の押し下げが規制される。従って、ボタン１１３が必要以上に押し下げられてしまうことがなく、スイッチＳＷの破損を防止することができる。
【００４５】
そして、ユーザがボタン１１３の押し下げ操作を止めると、片持ち梁部１８４は、元の位置に復帰しようとする復元力によりボタン１１３を非押し下げ状態に復帰させる。この際、図７に示したように突起部１６５が係止部１８１ａに係止しているので図示上方向にボタン１１３が外れてしまうのを防止することができる。
【００４６】
尚、上述した実施形態では、片持ち梁部１８４の自由端部１８４ａが基端部１８４ｂより上方に配設されているものとしたがこれに限られるものではない。例えば、ボタン１１３の非押し下げ状態では、片持ち梁部１８４の自由端部１８４ａと基端部１８４ｂとが水平になるように配設されており、ボタン１１３の押し下げ時に、自由端部１８４ａが下方に反って押し下げられるようにしても良い。
【００４７】
また、片持ち梁部１８４は、図５（ａ）に示したように底面部１８２の図示左右方向に対向して配設するものとしたが、例えば片持ち梁部１８４を底面部１８２の図示上下方向に対向して配設するようにしても良い。また、片持ち梁部１８４は対向するように配設しなくても良い。例えば、図５（ａ）における底面部１８２の図示上下左右の何れか一方を基端部１８４ｂとして、同一方向に複数の片持ち梁部１８４を配設するようにしても良い。また、梁当接部１７１が押下可能に支持され、スイッチＳＷを押し下げ可能であれば、片持ち梁部１８４は一つだけ配設するようにしても良い。
【産業上の利用可能性】
【００４８】
スイッチ装置を備えた記録装置であれば、例えばファクシミリ装置、コピー装置等であっても適用可能である。
【図面の簡単な説明】
【００４９】
【図１】本発明の一実施形態に係る記録装置の１つであるインクジェット式プリンタの外観構成全体を示す斜視図である。
【図２】図１のプリンタのペーパーサポート及び排紙スタッカ取付時の外部構成全体を示す斜視図である。
【図３】図１のプリンタの内部構成の概略を示す斜視図である。
【図４】図１のプリンタの内部構成の概略を示す断面側面図である。
【図５】図１のプリンタのボタン取付部の平面図及び断面図である。
【図６】図１のプリンタのボタンの外観及び内部構造を示す斜視図である。
【図７】図１のプリンタのボタンの内部構造の概略を示す断面側面図である。
【図８】図１のプリンタのボタンの押し下げ状態及び非押し下げ状態を示す断面図である。
【符号の説明】
【００５０】
１００  インクジェット式プリンタ、１０１  上部ハウジング、１１０  操作部、１１３  ボタン、１２０  給紙部、１３０  排紙部、１４０  用紙搬送部、１５０  記録部、１６０  ボタン外周部材、１６１  ボタン押圧面、１６２  ボタン外周側面部、１６２ａ  端部側面、１６２ｂ  中央部側面、１６３  表示部、１６４  導光管、１６５  突起部、１６５ａ  頂部、１６６  切り欠き、１７０  ボタン内部部材、１７１  梁当接部、１７１ａ  中央部、１７１ｂ  両端部、１７２  スイッチ押下部、１８０  ボタン取付部、１８１  壁面部、１８１ａ  係止部、１８２  底面部、１８３  底面、１８４  片持ち梁部、１８４ａ  自由端部、１８４ｂ  基端部。
【図１】
2007265779.tif 000003
【図２】
2007265779.tif 000004
【図３】
2007265779.tif 000005
【図４】
2007265779.tif 000006
【図５】
2007265779.tif 000007
【図６】
2007265779.tif 000008
【図７】
2007265779.tif 000009
【図８】
2007265779.tif 000010